(57)【要約】【課題】パネル材の積算に要する手間および時間を大幅に低減することができるパネル材の自動積算システムを提供する。【解決手段】建築構造物の床または壁を構成するパネル材の自動積算システム１０あって、パネル材が割り付けられたパネル材割付図を取り込む取込み部１２と、取り込まれたパネル材割付図に第１の線種で描かれた図形の短辺方向の最大長さをパネル材の幅基準値と比較し、一致するものをパネル材として抽出する抽出部１４と、抽出部１４で抽出されたパネル材を積算する積算部１８とを備えるものである。【選択図】図１
2018147170.tif 000002
【特許請求の範囲】
【請求項１】
建築構造物の床または壁を構成するパネル材の自動積算システムあって、
パネル材が割り付けられたパネル材割付図を取り込む取込み部と、
取り込まれたパネル材割付図に第１の線種で描かれた図形の短辺方向の最大長さをパネル材の幅基準値と比較し、一致するものをパネル材として抽出する抽出部と、
前記抽出部で抽出されたパネル材を積算する積算部とを備えることを特徴とするパネル材の自動積算システム。
【請求項２】
前記抽出部は、前記パネル材割付図中の前記図形の短辺方向の最大長さを前記パネル材の幅基準値と比較し、一致しないものを幅調整材として抽出するよう構成されていることを特徴とする、請求項１に記載のパネル材の自動積算システム。
【請求項３】
前記抽出部は、前記幅調整材の長さが所定長さを超える場合には、梁の中心線位置で分割して抽出するよう構成されていることを特徴とする、請求項１または２に記載のパネル材の自動積算システム。
【請求項４】
前記抽出部は、前記パネル材割付図に描かれた特定記号をパネル材固定用の金具として抽出するよう構成されていることを特徴とする、請求項１から３までのいずれか一項に記載のパネル材の自動積算システム。
【請求項５】
前記パネル材割付図上で１枚または複数枚のパネル材を選択させ、選択されたパネル材の総枚数および総重量の少なくとも一方が所定の梱包条件を満たすか否かを判定し、満たす場合に選択されたパネル材を同一の梱包グループに設定する梱包設定部を備えることを特徴とする、請求項１から４までのいずれか一項に記載のパネル材の自動積算システム。
【請求項６】
前記抽出部で抽出されたパネル材に対して加工の要否を判定し、加工要と判定したパネル材の加工図を作成する加工図作成部を備えることを特徴とする、請求項１から５までのいずれか一項に記載のパネル材の自動積算システム。
【請求項７】
前記加工図作成部は、前記パネル材割付図に前記第１の線種とは異なる第２の線種で描かれた図形を障害物として認識し、該障害物を考慮してパネル材の加工図を作成するよう構成されていることを特徴とする、請求項１から６までのいずれか一項に記載のパネル材の自動積算システム。
【請求項８】
前記障害物は、建築構造物の梁同士をつなぐ継手を補強するスプライスプレートであることを特徴とする、請求項７に記載のパネル材の自動積算システム。
【発明の詳細な説明】
【技術分野】
【０００１】
この発明は、建築構造物の床または壁を構成するパネル材の自動積算システムに関する。
【背景技術】
【０００２】
建築構造物の床や壁を設計するに際しては、床や壁を構成するパネル材の割付図が作成されるとともに、必要なパネル材や幅調整材、固定金具の数量を明記した積算表（オーダー表）が作成される。従来、積算表の作成は、作成されたパネル材割付図からパネル材や幅調整材、固定金具等を手作業で一つずつ拾い出し、コンピュータへ入力するという非常に煩雑な方法により行われており、積算作業に手間や時間がかかるという問題があった。
【発明の概要】
【発明が解決しようとする課題】
【０００３】
この発明は、上記問題を解消し、パネル材の積算作業を容易に行うことができるパネル材の自動積算システムを提供することを目的とする。
【課題を解決するための手段】
【０００４】
この発明は、建築構造物の床または壁を構成するパネル材の自動積算システムあって、上記目的を達成するため、パネル材が割り付けられたパネル材割付図を取り込む取込み部と、取り込まれたパネル材割付図に第１の線種で描かれた図形の短辺方向の最大長さをパネル材の幅基準値と比較し、一致するものをパネル材として抽出する抽出部と、前記抽出部で抽出されたパネル材を積算する積算部とを備えるものである。
【０００５】
なお、この発明のパネル材の自動積算システムにあっては、前記抽出部は、前記パネル材割付図中の前記図形の短辺方向の最大長さを前記パネル材の幅基準値と比較し、一致しないものを幅調整材として抽出するよう構成されていることが好ましい。
【０００６】
また、この発明のパネル材の自動積算システムにあっては、前記抽出部は、前記幅調整材の長さが所定長さを超える場合には、梁の中心線位置で分割して抽出するよう構成されていることが好ましい。
【０００７】
さらに、この発明のパネル材の自動積算システムにあっては、前記抽出部は、前記パネル材割付図に描かれた特定記号をパネル材固定用の金具として抽出するよう構成されていることが好ましい。
【０００８】
さらに、この発明のパネル材の自動積算システムにあっては、前記パネル材割付図上で１枚または複数枚のパネル材を選択させ、選択されたパネル材の総枚数および総重量の少なくとも一方が所定の梱包条件を満たすか否かを判定し、満たす場合に選択されたパネル材を同一の梱包グループに設定する梱包設定部を備えることが好ましい。
【０００９】
さらに、この発明のパネル材の自動積算システムにあっては、前記抽出部で抽出されたパネル材に対して加工の要否を判定し、加工要と判定したパネル材の加工図を作成する加工図作成部を備えることが好ましい。
【００１０】
さらに、この発明のパネル材の自動積算システムにあっては、前記加工図作成部は、前記パネル材割付図に前記第１の線種とは異なる第２の線種で描かれた図形を障害物として認識し、該障害物を考慮してパネル材の加工図を作成するよう構成されていることが好ましい。
【００１１】
加えて、この発明のパネル材の自動積算システムにあっては、前記障害物は、建築構造物の梁同士をつなぐ継手を補強するスプライスプレートとすることができる。
【発明の効果】
【００１２】
この発明のパネル材の自動積算システムにおいて、取込み部は、パネル材が割り付けられたパネル材割付図を取り込み、抽出部は、取り込まれたパネル材割付図に第１の線種で描かれた図形の短辺方向の最大長さをパネル材の幅基準値と比較し、一致するものをパネル材として抽出し、積算部は、抽出部で抽出されたパネル材を積算する。
【００１３】
したがって、この発明のパネル材の自動積算システムによれば、パネル材割付図からのパネル材の積算作業を自動で行うことができるので、パネル材の積算に要する手間および時間を大幅に低減することができる。
【図面の簡単な説明】
【００１４】
【図１】この発明の一実施形態のパネル材の自動積算システムの構成を示すブロック図である。
【図２】パネル材割付図の一例を示す図である。
【図３】実施形態のパネル材の自動積算システムによって作成された積算表の一例を示す図である。
【図４】パネル材の加工種類を例示する図である。
【図５】実施形態のパネル材の自動積算システムの実行時のコンピュータのモニタ画面を示す図である。
【図６】実施形態のパネル材の自動積算システムの動作を示すフローチャートである。
【発明を実施するための形態】
【００１５】
以下、この発明の実施の形態を図面に基づき詳細に説明する。図１は、この発明の一実施形態のパネル材の自動積算システムの構成を示すブロック図である。
【００１６】
この実施形態のパネル材の自動積算システム（以下、単に「自動積算システム」ともいう。）１０は、通常のパーソナルコンピュータやタブレット端末等のコンピュータと該コンピュータ上で実行されるプログラムによって構成されるものであり、図１に示すように、主として、取込み部１２と、抽出部１４と、梱包設定部１６と、積算部１８と、加工図作成部２０とを備え、これらの各部で発揮される機能はコンピュータのメモリに保存されたプログラムや外部サーバからインターネット等の通信ネットワークを介して提供されるプログラムをコンピュータの演算部（ＣＰＵ）が実行することにより得られる。また、自動積算システム１０は、パネル材データベース２２および加工データベース２４を備えている。これらのデータベース２２，２４も、コンピュータ内に格納されていてもよいし、外部サーバから提供されるようにしてもよい。
【００１７】
自動積算システム１０が対象とするパネル材は、建築構造物の梁やフレーム等の支持体に金具を用いて固定されて床面や壁面を構成するものである。実施形態では、パネル材として、長尺状に延びる金属製平板の幅方向各端部を下方に折り曲げ加工して建築構造物の梁等に当接する脚片を形成したものを用いるが、パネル材はこれに限定されない。
【００１８】
取込み部１２は、建築構造物上にパネル材が割り付けられたパネル材割付図（図２参照）を取り込むよう機能する。パネル材割付図はＣＡＤシステム（コンピュータ支援設計ツール）等を用いて作成される。パネル材割付図には、パネル材および幅調整材が実線等の特定線種（第１の線種）で描かれ割り付けられている。また、パネル材割付図には、梁と梁の継手部を補強する、障害物としてのスプライスプレートが、パネル材の線種とは異なる破線等の特定線種（第２の線種）で描かれている。さらに、パネル材割付図には、パネル材を支持する梁の中心線が、パネル材の線種とは異なる一点鎖線等の特定線種（第３の線種）で描かれている。なお、パネル材割付図では、パネル材、幅調整材、梁およびスプライスプレート以外の線は予め消しておくか、非表示にしておくことが好ましい。幅調整材とは、パネル材を用いて床や壁を構築するにあたり、パネル材の幅に適合しない部分にパネル材に代えて敷設されるものであり、例えば断面コ字状もしくはＬ字状の金属板材からなるものである。
【００１９】
抽出部１４は、取込み部１２によって取り込まれたパネル材割付図に第１の線種（本例では実線）で描かれた図形の短辺方向の最大長さをパネル材の幅基準値と比較し、一致するものをパネル材として抽出するよう機能する。パネル材の幅基準値は、図示しない初期設定画面等において設定もしくは選択できるようにしておくことが好ましい。建築構造物の床もしくは壁を構築するにあたり、例えば幅２５０ｍｍと幅２００ｍｍの２種類のパネル材を使用する場合には、初期設定画面において、パネル材の幅基準値として２５０ｍｍおよび２００ｍｍを設定もしくは選択することで、抽出部１４によって短辺方向の最大長さが２５０ｍｍおよび２００ｍｍの図形がパネル材と認識され、抽出される。
【００２０】
一方、パネル材割付図中の第１の線種で描かれた図形の短辺方向の最大長さがパネル材の幅基準値と一致しない場合には、抽出部１４はこの図形を幅調整材として抽出するよう構成されている。さらに抽出部１４は、幅調整材の長さが所定長さを超える場合には、梁の中心線位置で分割して抽出するよう構成されていることが好ましい。
【００２１】
また、抽出部１４は、パネル材割付図に描かれた特定記号（図示省略）をパネル材固定用の金具として抽出するよう構成されている。
【００２２】
積算部１８は、抽出部１４で抽出されたパネル材、幅調整材およびパネル材固定用の金具を積算するよう機能する。積算部１８は、パネル材をその長さ別に積算することが好ましい。その結果は積算表として出力される。図３は、積算表の一例を示している。積算表には、後述する梱包記号や成形寸法（パネル材の長さ）、パネル材の枚数、単位重量、単位重量に枚数を掛けて求められる重量、梱包単位での重量および枚数、加工番号等が含まれていてよい。
【００２３】
梱包設定部１６は、ユーザにパネル材割付図上で１枚または複数枚のパネル材を選択させ、選択されたパネル材の総枚数および総重量の少なくとも一方が所定の梱包条件（最大枚数、最大重量以下）を満たすか否かを判定し、満たす場合に選択されたパネル材を同一の梱包グループに設定する機能を有する。同一の梱包グループに属するパネル材には上記梱包記号が付される。梱包条件は初期設定画面において設定できるようにしてもよいし、予めコンピュータのメモリ等に記憶させておいたものを用いてもよい。なお、選択されるパネル材の長さが各々異なる場合においもて、パネル材の総重量を正確に算出できるようにするため、パネル材の長さ別（例えば１０ｃｍ毎）の重量をパネル材データベース２２に格納しておき、このパネル材データベース２２を適宜参照することで選択された各パネル材の重量を求め、それらを合計することで選択されたパネル材の総重量を求めるよう梱包設定部１６を構成することが好ましい。
【００２４】
加工図作成部２０は、抽出部１４で抽出されたパネル材に対して加工の要否を判定し、加工要と判定したパネル材の加工図を作成するよう機能する。具体的には、加工図作成部２０は、パネル材割付図上でのパネル材の平面形状に基づき加工の要否を判定するとともに加工図を作成する。また、加工図作成部２０は、パネル材割付図に第１の線種とは異なる第２の線種（本例では破線）で描かれた図形を障害物として認識し、該障害物を考慮して加工の要否を判定するとともにパネル材の加工図を作成するよう構成されている。
【００２５】
加工図作成部２０はパネル材割付図上のパネル材の平面形状や障害物との干渉状況からパネル材の加工種類を特定する。加工種類の例を図４に示す。図４における加工番号「５０１」は、パネル材の先端に５００ｍｍ未満の切欠きを形成するものであり、加工番号「５０２」はパネル材の先端に５００ｍｍ以上の切欠きを形成するものであり、加工番号「５０３」はパネル板の長手方向中央に１０００ｍｍ未満の切欠きを形成するものであり、加工番号「５０４」はパネル材の長手方向中央に１０００ｍｍ以上の切欠きを形成するものであり、加工番号「５０５」はパネル材の先端を斜め切断するものであり、加工番号「５０６」はパネル材の脚片に５００ｍｍ未満の足切り（切欠き）を形成するものであり、加工番号「５０７」はパネル材の脚片に５００ｍｍ以上の足切り（切欠き）を形成するものである。なお、図中の記号ＰＬは切欠き部にあてがわれるプレートを示すものである。
【００２６】
加工図作成部２０は、加工が必要なパネル材に対して加工種類を特定した後、加工部の寸法を算出する。加工部がパネル材割付図に表われている場合には、加工部の寸法はパネル材割付図から直接求めることができる。しかし、加工部が加工番号「５０６」のようにパネル材割付図に表われていないものについては、障害物に対して所定のオフセット量（クリアランス）を加えて加工寸法を求めることできる。オフセット量およびオフセットの方向（梁方向および／または梁直交方向）は、初期設定画面等において設定もしくは選択することができる。
【００２７】
次に、上記のように構成された自動積算システム１０の動作について説明する。この例では、パネル材割付図においてパネル材は実線で描かれ、障害物としてスプライスプレートは破線で描かれ、梁はその中心線のみが一点鎖線で描かれているものをする。
【００２８】
まず、コンピュータのモニタ上に映し出された図示しない初期設定画面において初期設定作業を行う。初期設定画面では、使用するパネル材の設定もしくは選択、オフセット量およびオフセット方向の設定もしくは選択、梱包条件の設定もしくは選択、取り込んだパネル材割付図上での表示される部材（パネル材、幅調整材、金具、梁等）の色や背景色の設定等を行う。
【００２９】
図５は、コンピュータのモニタ上に映し出された自動積算システム１０の実行時の画面である。この画面上でユーザにより「ＣＡＤ取り込み」ボタンがクリックされると、取込み部１２が作動して、図２に示したパネル材割付図が自動積算システム１０内に取り込まれる。
【００３０】
続いて抽出部１４が作動して、パネル材が抽出される。抽出されたパネル材には背景色とは異なる色が付されるようにしてもよく、これにより抽出が正常に行われているかをユーザは容易に判別することができる。このとき、パネル材の抽出が正常に行われていない場合には、「編集」ボタンをクリックしてパネル材の線種等を修正するかあるいは手動でパネル材に設定することができる。また、抽出部１４は、パネル材のほかにも幅調整材、障害物としてのスプライスプレート、金具等を抽出し、それぞれに異なる色が付されるようにしてもよい。これにより、例えば、図２のパネル材割付図内に示された開口が、抽出部１４によって幅調整材として認識されている場合には、ユーザは色によってそれを判別することができるので、「編集」ボタンをクリックして開口を幅調整材に手動で変更することができる。なお、図５では、各部材の色や背景色は省略している。
【００３１】
次いで、同画面上でユーザによって一または複数のパネル材が選択された後、「梱包グループ」ボタンがクリックされると、梱包設定部１６が作動して、選択されたパネル材の総重量および／または総枚数が梱包条件を満たす否かを判定し、満たす場合には選択されたパネル材に対して同一の梱包記号を付して同一の梱包グループに所属させる。梱包設定部１６は、選択されたパネル材の総重量および／または総枚数が梱包条件を満たさない場合には「ＮＧ」を表示してユーザにパネル材を再度選択させる。
【００３２】
「加工図作成」ボタンがクリックされると、加工図作成部２０は、パネル材割付図に破線で描かれた図形をスプライスプレートとして認識する。この際、図形が完全な閉鎖矩形図形、つまり、４つの点とこれらの点をつなぐ４つの辺からなる図形でなくても、４つの点と３つの辺からなる図形をスプライスプレートと認識するようにしてもよい。続いて加工図作成部２０は、スプライスプレートを考慮した加工種類を加工データベース２４から選択するとともに、スプライスプレートの寸法に初期設定画面で設定されたオフセット量を加えて加工部の寸法を算出し、パネル材の加工図を作成する。加工図はＣＡＤデータとして出力させることができる。
【００３３】
「表出力」ボタンがクリックされると、積算部１８は、抽出部１４によってパネル材割付図から抽出されたパネル材や幅調整材、パネル材固定用金具を積算し、図３に示すような表にまとめて出力する。この表には、梱包記号や成形寸法（パネル材割付図から取得されるパネル材の長さ）、パネル材の枚数、パネル材の単位重量、単位重量に枚数を掛けて求められる重量、梱包単位での重量および枚数、加工番号（加工種類）等が含まれている。
【００３４】
したがって、実施形態の自動積算システム１０によれば、パネル材割付図からのパネル材の積算作業を自動で行うことができるので、パネル材の積算に要する手間および時間を大幅に低減することができる。
【００３５】
さらに、抽出部１４が、パネル材割付図中の図形の短辺方向の最大長さをパネル材の幅基準値と比較し、一致しないものを幅調整材として抽出するよう構成されている場合には、パネル材と同じ線種を使用しつつ幅調整材を抽出することできるので、パネル材割付図で使用される線種を減らすことができる。
【００３６】
さらに、抽出部１４が、幅調整材の長さが所定長さを超える場合には、梁の中心線位置で分割して抽出するよう構成されている場合には、パネル材割付図の作成時に幅調整材の長さを考慮する必要がなくなるため、パネル材割付図の作成作業をより簡易に行うことができる。
【００３７】
さらに、自動積算システム１０が、パネル材割付図上で１枚または複数枚のパネル材を選択させ、選択されたパネル材の総枚数および総重量の少なくとも一方が所定の梱包条件を満たすか否かを判定し、満たす場合に選択されたパネル材を同一の梱包グループに設定する梱包設定部１６を備える場合には、梱包のグループ分けを容易に行うことが可能となる。
【００３８】
さらに、自動積算システム１０が、抽出部１４で抽出されたパネル材に対して加工の要否を判定し、加工要と判定したパネル材の加工図を作成する加工図作成部２０を備える場合には、加工図を自動で作成することができるので、加工図作成に要する時間を大幅に低減することができる。さらに、加工図作成部２０が、パネル材割付図に第１の線種とは異なる第２の線種で描かれた図形を障害物として認識し、該障害物を考慮してパネル材の加工図を作成するよう構成されている場合には、より正確な加工図の作成が可能となる。
【００３９】
以上、図示した実施形態に基づきこの発明を説明したが、この発明は実施形態に限定されず、特許請求の範囲の記載範囲内で変更、追加、修正が可能である。例えば、上記実施形態では、パネル材割付図中に描かれた特定記号をパネル材固定用の金具として抽出すると説明したが、金具の数は各パネル材の長さに応じて決定されてもよい。例えば、パネル材の長さが２２００ｍ未満の場合には金具の数は２個、２２００ｍ以上４４００ｍ未満の場合には３個、４４００ｍ以上６１９０ｍ未満の場合には４個とすることができる。
【産業上の利用可能性】
【００４０】
この発明によれば、パネル材の積算に要する手間および時間を大幅に低減することができるパネル材の自動積算システムを提供することができる。
【符号の説明】
【００４１】
１０  パネル材の自動積算システム
１２  取込み部
１４  抽出部
１６  梱包設定部
１８  積算部
２０  加工図作成部
２２  パネル材データベース
２４  加工データベース
【図１】
2018147170.tif 000003
【図２】
2018147170.tif 000004
【図３】
2018147170.tif 000005
【図４】
2018147170.tif 000006
【図５】
2018147170.tif 000007
【図６】
2018147170.tif 000008